(57)【要約】【課題】接続した容器が安易に取り外されることを防止し、容器の漏液防止を図るコネクタを提供する。【解決手段】第１の容器と第２の容器２０とに接続し、第１の容器と第２の容器２０との間で液体を流通させるコネクタ１であって、第１の容器と係合する第１の接続部３と、第２の容器２０と係合する第２の接続部４とを備えており、第２の接続部４は、第２の容器２０に係合する係合部と、第２の容器２０を刺通する針状部７とが一体になっている。このことにより、液体の流通作業の際における容器の外れを防止することができるとともに、第２の接続部４は針状部７が一体になっているので、第２の容器２０との接続が容易になる。【選択図】図５
2010124898.tif 000002
【特許請求の範囲】
【請求項１】
第１の容器と第２の容器とに接続し、前記第１の容器と前記第２の容器との間で液体を流通させるコネクタであって、
前記第１の容器と係合する第１の接続部と、前記第２の容器と係合する第２の接続部とを備えており、
前記第２の接続部は、前記第２の容器に係合する係合部と、前記第２の容器を刺通する針状部とが一体になっていることを特徴とするコネクタ。
【請求項２】
前記第１の接続部は、前記第１の容器との係合を解除する解除機構を備えており、前記第２の接続部は、前記第２の容器との係合を解除する解除機構を備えていない請求項１に記載のコネクタ。
【請求項３】
前記第２の接続部の前記係合部は、前記第２の容器の前記口部と係合する筒状の接続口であり、前記接続口は、前記接続口の内周面から突出した突出部を形成している請求項１又は２に記載のコネクタ。
【請求項４】
前記接続口は、前記接続口の側面を切り欠いたスリットを形成している請求項３に記載のコネクタ。
【請求項５】
前記第１の接続部は、前記第１の容器の一部と係合する爪部を備えたレバー式ロックが一体になっており、前記レバー式ロックは前記第１の容器との係合を解除する解除機構を兼ねており、前記レバー式ロックの湾曲により、前記レバー式ロックと前記第１の容器との係合が解除される請求項１から４のいずれかに記載のコネクタ。
【請求項６】
前記第１の接続部は、回転式ロックであり、前記回転式ロックは、前記第１の容器に形成した凸部に係合する凹溝を備えており、前記回転式ロックは前記第１の容器との係合を解除する解除機構を兼ねており、前記回転式ロックの軸回りの回転により、前記凸部と前記凹溝との係合が解除される請求項１から４のいずれかに記載のコネクタ。
【請求項７】
シリンダと可動式のピストンとを含むシリンジをさらに備えており、前記ピストンの可動による空気の送出及び吸引により、前記第１の容器と前記第２の容器との間で液体を流通させる請求項１から６のいずれかに記載のコネクタ。
【請求項８】
伸縮可能なスポイトをさらに備えており、前記スポイトの伸縮による空気の送出及び吸引により、前記第１の容器と前記第２の容器との間で液体を流通させる請求項１から６のいずれかに記載のコネクタ。
【請求項９】
疎水性フィルタをさらに備えており、前記空気の送出及び吸引は、前記疎水性フィルタを介して行われる請求項７又は８に記載のコネクタ。
【請求項１０】
前記第１の接続部に、伸縮により開閉可能なシールドで覆われた部分がある請求項１から９のいずれかに記載のコネクタ。
【発明の詳細な説明】
【技術分野】
【０００１】
本発明は、容器間に介在させて液体を流通させるコネクタに関し、例えば薬液バッグとバイアル瓶との間で、液体を流通させる医療用のコネクタに関する。
【背景技術】
【０００２】
抗がん剤等の薬剤は、保存の安定性のため、粉末の状態で保存し、使用する際に溶解することが行われている。この場合、薬剤入りのバイアル瓶に溶解液を注入し、溶解させた薬液を薬液バッグに注入することになる。そして、薬液バッグ内の薬液は、薬液バッグに取り付けたチューブを介して体内に投与されることになる。バイアル瓶内の薬液を薬液バッグに注入させるための用具が、例えば下記特許文献１、２に提案されている。
【０００３】
特許文献１には、両頭針の一端を薬剤入りの容器（バイアル瓶）の口部に穿刺し、両頭針の他端を希釈液入りの容器（薬液バッグ）の口部に穿刺した状態で、薬剤入りの容器内の溶解させた薬液を、希釈液入りの容器に注入することが提案されている。
【０００４】
特許文献２には、移注用具に形成した瓶針をガラス瓶（バイアル瓶）の口栓に刺通し、中空針を空袋（薬液バッグ）の口栓に刺通した状態で、ガラス瓶内の内容液を空袋に移注することが提案されている。
【特許文献１】特開２００２−２３８９７９号公報
【特許文献２】実開昭５６−９５２４７号公報
【発明の開示】
【発明が解決しようとする課題】
【０００５】
しかしながら、特許文献１、２に提案されている用具では、用具とバイアル瓶との接続は、用具と一体の針部をバイアル瓶の口部に穿刺しているに止まり、用具からバイアル瓶を取り外すことが容易であった。このため、特許文献１、２の用具では、用具からバイアル瓶が安易に取り外される可能性があった。用具からバイアル瓶が取り外されると、薬液バッグから薬液が漏液したり、バイアル瓶から薬液が漏液するおそれがあった。
【０００６】
本発明は、前記のような従来の問題を解決するものであり、接続した容器が安易に取り外されることを防止し、容器の漏液防止を図るコネクタを提供することを目的とする。
【課題を解決するための手段】
【０００７】
前記目的を達成するために、本発明のコネクタは、第１の容器と第２の容器とに接続し、前記第１の容器と前記第２の容器との間で液体を流通させるコネクタであって、前記第１の容器と係合する第１の接続部と、前記第２の容器と係合する第２の接続部とを備えており、前記第２の接続部は、前記第２の容器に係合する係合部と、前記第２の容器を刺通する針状部とが一体になっていることを特徴とする。
【発明の効果】
【０００８】
本発明のコネクタによれば、接続した容器が安易に取り外されることを防止し、容器の漏液防止を図ることができる。
【発明を実施するための最良の形態】
【０００９】
本発明によれば、コネクタに第１及び第２の容器を係合させた状態で、容器間の液体の流通作業ができるので、この流通作業の際における容器の外れを防止することができる。特に、第２の接続部は、係合部と針状部とが一体になっているので、第２の容器の安易な取り外しを防止できるとともに、第２の容器との接続が容易になる。
【００１０】
前記本発明のコネクタによれば、前記第１の接続部は、前記第１の容器との係合を解除する解除機構を備えており、前記第２の接続部は、前記第２の容器との係合を解除する解除機構を備えていないことが好ましい。この構成によれば、第１の接続部の第１の容器からの取り外しを容易にしつつ、第２の容器の安易な取り外しを防止することができる。このことにより、第２の容器の廃棄の際には、第２の容器をコネクタと一体に取り外すという作業手順の実行が容易になり、第２の容器を単体で取り外すことによる第２の容器の内容物の漏洩を防止することができる。
【００１１】
また、前記第２の接続部の前記係合部は、前記第２の容器の前記口部と係合する筒状の接続口であり、前記接続口は、前記接続口の内周面から突出した突出部を形成していることが好ましい。この構成によれば、第２の接続部と第２の容器との係合がより確実になり、第２の容器の外れ防止により有利になる。
【００１２】
また、前記接続口は、前記接続口の側面を切り欠いたスリットを形成していることが好ましい。第２の接続部と第２の容器との係合が容易になる。
【００１３】
また、前記第１の接続部は、前記第１の容器の一部と係合する爪部を備えたレバー式ロックが一体になっており、前記レバー式ロックは前記第１の容器との係合を解除する解除機構を兼ねており、前記レバー式ロックの湾曲により、前記レバー式ロックと前記第１の容器との係合が解除されることが好ましい。この構成によれば、レバー式ロックのレバー部の開閉により、第１の接続部の脱着が容易になる。
【００１４】
また、前記第１の接続部は、回転式ロックであり、前記回転式ロックは、前記第１の容器に形成した凸部に係合する凹溝を備えており、前記回転式ロックは前記第１の容器との係合を解除する解除機構を兼ねており、前記回転式ロックの軸回りの回転により、前記凸部と前記凹溝との係合が解除されることが好ましい。この構成によっても、第１の接続部の脱着が容易になる。また、第１の接続部と第１の容器との係合の解除は容易にはなるが、この解除には回転式ロックの回転動作が必要であるため、不用意な解除は防止することができる。
【００１５】
また、シリンダと可動式のピストンとを含むシリンジをさらに備えており、前記ピストンの可動による空気の送出及び吸引により、前記第１の容器と前記第２の容器との間で液体を流通させることが好ましい。この構成によれば、簡単な操作で空気の送出・吸引ができ、容器間の液体の流通作業が容易になるとともに、空気の送出量・吸引量の調節も容易になる。
【００１６】
また、伸縮可能なスポイトをさらに備えており、前記スポイトの伸縮による空気の送出及び吸引により、前記第１の容器と前記第２の容器との間で液体を流通させることが好ましい。この構成によれば、簡単な構造かつ簡単な操作で空気の送出・吸引ができ、容器間の液体の流通作業が容易になる。
【００１７】
また、疎水性フィルタをさらに備えており、前記空気の送出及び吸引は、前記疎水性フィルタを介して行われることが好ましい。この構成によれば、シリンダやスポイト内への液体の流入を防止することができる。
【００１８】
また、前記第１の接続部に、伸縮により開閉可能なシールドで覆われた部分があることが好ましい。この構成によれば、第１接続部を第１の容器から取り外した後においても、第１の接続部からの液体の漏洩を防止することができる。このため、第２の接続部と第２の容器との接続状態を維持した状態で、第２の容器を廃棄するようにすれば、第２の容器の液体の漏洩は防止されることになる。
【００１９】
以下、図面を参照しながら本発明の一実施の形態について説明する。
【００２０】
（実施の形態１）
図１は、本発明の一実施の形態に係るコネクタ１の使用例を示した図である。本図での例では、コネクタ１を介して第１の容器である薬液バッグ１０と第２の容器であるバイアル瓶２０とを接続している。
【００２１】
以下の説明において、薬液バッグ１０に取り付けた部品、例えば図５における接続口４０、ポート部４１は、説明の便宜上、薬液バッグ１０とは別個の符号を付しているが、これらは薬液バッグ１０の構成部品である。このため、図５では第１の接続口３はポート部４１に係合しているが、これは第１の接続口３は薬液バッグ１０に係合していることを意味している。
【００２２】
同様に、図５において、バイアル瓶１０に取り付けたゴム栓２３及びキャップ２４は、バイアル瓶１０の構成部品である。図５の図示では、第２の接続口４は、キャップ２４に係合しているとも、バイアル瓶１０の口部２９に係合しているとも考えることができるが、バイアル瓶１０に係合していることには変りない。
【００２３】
薬液バッグ１０は、柔軟な樹脂製シートを袋状に形成したものである。薬液バッグ１０は、例えば、２枚の樹脂製シートを重ね合わせて、周縁部を熱溶着等により接合して形成することができる。バイアル瓶２０は、薬剤の入った容器であり、例えばガラス製の瓶の口部をゴム栓及びキャップで封止したものである。
【００２４】
図２は、図１を矢印Ａ方向から見た図である。コネクタ１には、シリンジ３０が取り付けられている。シリンジ３０は、円筒状のシリンダ３２と可動式のピストン３１とを備えている。ピストン３１を矢印ａ方向に押すことにより、シリンダ３２内の空気をシリンダ３２の先端から送出させることができる。他方、ピストン３１を矢印ｂ方向に引くことにより、シリンダ３２内に空気を吸引することができる。
【００２５】
図３は、コネクタ１の分解斜視図である。図３に示したように、コネクタ１は、コネクタ本体２と、第１接続部３とに分解することができる。コネクタ本体２は、第２接続部４と一体になっている。
【００２６】
第１接続部３は、円筒状の接続口１１とレバー式ロック１２とが一体になっている。第１接続部３は、コネクタ１を薬液バッグ１０（図１）に接続させるためのコネクタである。薬液バッグ１０との接続の際には、接続口１１内に、薬液バッグ１０に固定している円筒状のポート部４１（図７）を挿入する。
【００２７】
この際、レバー式ロック１２の下部が矢印ｃ方向に湾曲しながら、レバー式ロック１２の爪部１３が、ポート部４１の端面４１ａ（図７、８）に係合することになる。第１接続部３と薬液バッグ１０との接続の詳細については、後に図７、８を参照しながら説明する。
【００２８】
コネクタ本体２は、縦管状部１５に横管状部１６が交差している。横管状部１６にはシリンジ３０（図２）と螺合させるためにねじ１７を形成している。コネクタ１は、図２のような接続状態において、ピストン３２の可動により、薬液バッグ１０とバイアル瓶２０との間で液体を流通させるものである。この液体の流通については、後に図５、６を参照しながら説明する。
【００２９】
図４は、コネクタ１を、図３とは別の角度から見た分解斜視図である。図４では、第１接続部３及びコネクタ本体２の裏面側を図示している。第１接続部３の裏面側には、接続用管状部２１を形成している。この接続用管状部２１を、コネクタ本体２の縦管状部１５に嵌合させることにより、第１接続部３をコネクタ本体２に接続することができる。
【００３０】
第２接続部４は、筒状の接続口６と針状部７とが一体になったものである。第２接続部４は、コネクタ本体２をバイアル瓶２０に接続させるためのものである。接続口６は、バイアル瓶２０の口部２９（図５）と係合する係合部である。針状部７の先端は鋭利になっており、針状部７は、バイアル瓶２０のゴム栓２３（図５）に刺通することができる。
【００３１】
第２接続部４とバイアル瓶２０との接続の際には、針状部７をバイアル瓶２０のゴム栓２３（図５）に刺通しつつ、第２接続部４の接続口６内に、バイアル瓶２０の口部２９を係合させることになる。この接続の詳細については、後に図９、１０を参照しながら説明する。
【００３２】
図５は、コネクタ１の断面図を示している。本図は、図２におけるコネクタ１及びその周辺部分の縦方向の断面図に相当する。薬液バッグ１０に取り付けられた接続口４０の先端部に、ポート部４１が取り付けられている。ポート部４１は、第１接続部３の接続口１１に挿入されている。本図の断面状態では、図示されていないが、第１接続部３と一体のレバー式ロック１２の爪部１３（図３）を、ポート部４１の端面４１ａに係合させて、第１接続部３をポート部４１に接続している（図８）。前記の通り、この接続の詳細は、後に図７、８を用いて説明する。
【００３３】
第１接続部３は、接続口１１の中央部に、立設管状部２５を形成している。立設管状部２５の先端部は、ポート部４１に取り付けられたセプタム（隔壁）４２を押し上げている。セプタム４２は、軟質材にスリットを形成したものである。図５の状態では、立設管状部２５の先端部が、セプタム４２を押し上げることにより、セプタム４２のスリットを割って開いている。このことにより、接続口４０の内部空間と、立設管状部２５及び接続管状部２１の内部空間２８とがつながっている。
【００３４】
第１接続部３の接続用管状部２１は、コネクタ本体４の縦管状部１５に嵌合している。このことにより、コネクタ本体２に第１接続部３が接続されている。
【００３５】
コネクタ本体２には、第１流路４３及び第２流路４４を形成している。第１流路４３は、横管状部１６の内部空間１６ａと、コネクタ本体２の外部空間とをつなぐ流路である。第２流路４４は、立設管状部２５及び接続用管状部２１の内部空間２８と、コネクタ本体２の外部空間とをつなぐ流路である。
【００３６】
バイアル瓶２０の口部２９は、ゴム栓２３及びキャップ２４により封止している。ゴム栓２３は、バイアル瓶２０の開口に圧入している。キャップ２４は例えば金属製の薄板を加工したものであり、バイアル瓶２０の口部２９を覆っている。図５に示したように、第２接続部４によって、バイアル瓶２０とコネクタ本体２とを接続している。この接続の詳細は後に、図９、１０を参照しながら説明する。
【００３７】
以下、図５、６を参照しながら、薬液バッグ１０に、バイアル瓶２０内の薬剤を注入する際の操作手順を説明する。
【００３８】
図５において、シリンジ３０のピストン３１（図２）を矢印ｂ方向に引くことにより、バイアル瓶２０内の空気を横管状部１６の内部空間１６ａにまで吸引し、さらにシリンジ３０内にまで吸引することができる。このことにより、薬液バッグ１０内の溶解液が、立設管状部２５及び接続用管状部２１の内部空間２８、第２流路４４、開口４４ａを経て、バイアル瓶２０内に注入される。
【００３９】
バイアル瓶２０内に溶解液が注入されると、バイアル瓶２０内の粉末状の薬剤は、溶解液で溶解されることになる。バイアル瓶２０を振ることにより、この溶解を促進させることができる。
【００４０】
図６は、バイアル瓶２０内で粉末状の薬剤を溶解して生成した薬液を、薬液バッグ１０に注入する状態を示す断面図である。図示を見易くするために、図５における接続口４０、ポート部４１、シリンジ３０及びバイアル瓶２０は二点鎖線で簡略化して図示している。
【００４１】
図６では、薬液バッグ１０の接続口４０とバイアル瓶２０との上下関係が、図５と逆になっている。すなわち、図５では、バイアル瓶２０が下側にあるのに対して、図６では、バイアル瓶２０は上側にある。
【００４２】
図６の状態において、シリンジ３０のピストン３１（図２）を矢印ａ方向に押すと、シリンジ３０内の空気は、横管状部１６の内部空間１６ａに押し出されることになる。内部空間１６ａに至った空気は、矢印ｅ方向に流動し、第１流路４３を経て、矢印ｆで示したように、バイアル瓶２０内に注入されることになる。
【００４３】
このことにより、バイアル瓶２０内の薬液が、開口４４ａ、第２流路４４、立設管状部２５及び接続用管状部２１の内部空間２８を経て、矢印ｇで示したように、薬液バック１０内に向かって流出することになる。
【００４４】
薬液バック１０への注入量を増加させる場合には、一旦押したピストン３１（図２）を引き戻し、再度ピストン３１を矢印ａ方向に押せばよい。この場合、ピストン３１を引き戻す際に、バイアル瓶２０内の薬液をシリンジ３０内に吸引してしまう可能性がある。このようなシリンジ３０内への薬液の流入を防止するためには、図６に示したように、第１流路４３に疎水性フィルタ１４を配置すればよい。
【００４５】
疎水性フィルタ１４は、通気性があり空気は通過させるが、液体は通過させない。このため、ピストン３１を引き戻す際に、バイアル瓶２０内の薬液がシリンジ３０内に流入することを防止することができる。
【００４６】
なお、図６では第１流路４３に疎水性フィルタ１４を配置した例を図示したが、疎水性フィルタ１４は、第１流路４３の先端からシリンジ３０に至る空間に配置すればよく、横管状部１６の内部空間１６ａに設けてもよい。
【００４７】
前記のような工程を経て、バイアル瓶２０内の薬液を薬液バッグ１０内に注入することが可能になる。薬液バッグ１０内の薬液は、ポート部１９（図１）に刺通した針付きチューブのチューブを介して体内に投与されることになる。
【００４８】
本実施の形態においては、シリンジ３０（図２）とコネクタ本体２とを別部品とした例で説明したが、シリンジ３０のシリンダ部３２とコネクタ本体２とを一体にした構成でもよい。シリンダ部３２とコネクタ本体２とを一体にするには、シリンダ部３２を横管状部１６（図３）と一体に成形してもよく、シリンダ部３２を横管状部１６（図３）に接着剤で固定してもよい。この構成によれば、シリンジ３０の取り付け作業が不要になり、コネクタ１の操作前の組立作業が容易になる。また、誤ってシリンジ３０を取り外し、横管状部１６の他端が開放することを防止することができる。
【００４９】
次に、図７、８を参照しながら、第１接続部３と薬液バッグ１０との接続構造について説明する。図７は、第１接続部３と薬液バッグ１０とを接続する前の状態を示す断面図である。前記の通り、接続口４０は薬液バッグ１０に取り付けられている。接続口４０の先端部に、ポート部４１が取り付けられている。ポート部４１には、スリット４５を形成したセプタム（隔壁）４２が取り付けられている。図７に示した第１接続部３は、図３のＢＢ線における断面図に相当する。第１接続部３には、レバー式ロック１２が一体になっている。
【００５０】
図８は、第１接続部３をポート部４１に係合させて接続した状態を示す断面図である。ポート部４１が、接続口１１内に挿入されているとともに、レバー式ロック１２の爪部１３が、ポート部４１の端面４１ａに係合している。ポート部４１を接続口１１内に挿入する際には、図７において、レバー式ロック１２の下部が接続口１１の中心軸１１ａ側（矢印ｃ方向）に湾曲しながら、レバー式ロック１２の爪部１３は、接続口１１の中心軸１１ａから離れるように変位する（矢印ｈ方向）。ポート部４１の接続口１１内への挿入完了時点で、図９に示したように、爪部１３が、ポート部４１の端面４１ａに係合していることになる。
【００５１】
ここで、図７において、第１接続部３と一体の立設管状部２５は、伸縮により開閉可能なシールド２６で覆われている。シールド２６には、スリット２７を形成しており、シールド２６の収縮により、スリット２７の形成部分が開き（図８）、収縮したシールド２６の復元によりスリット２７の形成部分が閉じる（図７）ことになる。
【００５２】
図７の状態では、シールド２６は立設管状部２５を覆っているのに対して、図８の状態では、シールド２６は収縮し、立設管状部２５がシールド２６からはみ出している。これは、ポート部４１を接続口１１内に挿入する際に、ポート部４１の下部がシールド２６を押し下げるように、押圧するためである。
【００５３】
シールド２６からはみ出した立設管状部２５の先端部は、ポート部４１に取り付けられたセプタム４２を押し上げ、セプタム４２のスリット４５（図７）を割って開いている。このことにより、接続口４０の内部空間と、立設管状部２５及び接続管状部２１の内部空間２８とがつながることになる。
【００５４】
次に、必要量の薬液を薬液バッグ１０内に注入した後は、バイアル瓶２０と一体になった第１接続部３を、ポート部４１から取り外すことになる。この取り外しの際には、図８において、レバー式ロック１２の下部を接続口１１の中心軸１１ａ側（矢印ｃ方向）に押圧し、レバー式ロック１２の爪部１３を、接続口１１の中心軸１１ａから離れるように変位させればよい（矢印ｈ方向）。
【００５５】
第１接続部３を、ポート部４１から取り外した後は、図７の状態に戻ることになる。図７の状態では、収縮したシールド２６は復元し、再び立設管状部２５を覆っている。この状態では、バイアル瓶２０内の薬液の漏洩は防止されることになる。
【００５６】
なお、図７において、シールド２６で覆われた立設管状部２５の構造を、ポート部４１側に設けてもよい。この場合は、ポート部４１において、開口を伸縮により開閉可能なセプタム４２で覆った構造は、第１接続部３に設けることになる。この構成によれば、図７において、立設管状部２５とセプタム４２との上下関係が逆になるが、接続口４０の内部空間と、接続管状部２１の内部空間２８とがつながることには変わりない。
【００５７】
また、本実施の形態における第１接続部３は一例であり、各種接続方式を用いることができる。また、第１接続部３をコネクタ１と別部品で構成した例で説明したが、第１接続部３の構造によっては、第１接続部３とコネクタ１とを一体に成形した構成も考えられる。
【００５８】
次に、図９、１０を参照しながら、第２接続部４とバイアル瓶２０との接続構造について説明する。図９は、第２接続部４とバイアル瓶２０との接続前の状態を示す断面図である。バイアル瓶２０の口部２９は、ゴム栓２３を介して、キャップ２４により封止されている。
【００５９】
キャップの２４の中央部には開口２２を形成している。このことにより、開口２２の位置には、ゴム栓２３の一部が露出している。
【００６０】
第２接続部４には、接続口６の内周面から突出した突出部４６を形成している。バイアル瓶２０の口部２９には、拡径部４７を形成している。後に図１０を用いて説明するように、バイアル瓶２０の拡径部４７に、第２接続部４の突出部４６が係合することになる。
【００６１】
図１０は、第２接続部４とバイアル瓶２０とを接続した状態を示す断面図である。第２接続部４はバイアル瓶２０の口部２９に係合している。図３、９に示したように、接続口６の側面にはスリット５を形成しており、第２接続部４とバイアル瓶２０との係合を容易にしている。
【００６２】
図１０では、バイアル瓶２０のゴム栓２３に、コネクタ本体４と一体の針状部７が刺通している。バイアル瓶２０の拡径部４７には、第２接続部４の突出部４６が係合しており、第２接続部４のバイアル瓶２０からの外れを防止している。
【００６３】
また、第２接続部４は、第１接続部３とは異なり、レバー式ロック１２のような接続の解除を容易にする機構は備えていない。このため、第２接続部４とバイアル瓶２０との係合を強固にしておけば、第２接続部４はバイアル瓶２０から容易には外れないようにすることができる。このことにより、バイアル瓶２０の安易な取り外しによる薬液の漏洩を防止することができる。
【００６４】
また、第１接続部３を薬液バッグ１０から取り外した後は、図９に示したように、シールド２６が立設管状部２５を覆っている。したがって、第１接続部３を薬液バッグ１０から取り外した後においても、立設管状部２５からの薬液の漏洩は防止されることになる。
【００６５】
このため、第１接続部３を薬液バッグ１０から取り外し、第２接続部４とバイアル瓶２０との接続状態を維持した状態でバイアル瓶２０を廃棄するようにすれば、バイアル瓶２０内の薬剤の漏洩は防止されることになる。
【００６６】
前記のような薬剤の漏洩防止構造は、バイアル瓶２０内の薬剤が抗がん剤のような毒性の強い薬剤の場合には、特に有効になる。
【００６７】
なお、本実施の形態における第２接続部４は一例であり、各種接続方式を用いることができる。例えば、図１０では第２接続部４は、バイアル瓶２０の口部２９に係合する構成であるが、胴部に係合する構成としてもよい。
【００６８】
また、第２接続部４は、コネクタ本体２と一体に形成しているが、第２接続部４がコネクタ本体２から容易に外れない構造であれば、第２接続部４をコネクタ本体２と別部品で構成してもよい。
【００６９】
また、針状部７は、バイアル瓶２０の口部２９におけるゴム栓２３に刺通する構成の例で説明したが、この構成に限るものではなく、針状部７がバイアル瓶２０の一部を刺通する構成であればよい。例えば、バイアル瓶２０全体が軟質材で形成されており、針状部７がこの軟質材を刺通する構成であってもよい。
【００７０】
（実施の形態２）
実施の形態１では、バイアル瓶２０からの空気の吸引、及びバイアル瓶２０への空気の注入に、シリンジ３０を用いた例を説明したが、実施の形態２は、シリンジに代えてスポイトを用いた実施の形態である。本実施の形態は、シリンジをスポイトに代えている点を除けば、実施の形態１と同様の構成である。このため、実施の形態１と同一構成の部分の説明は省略する。
【００７１】
図１１は、実施の形態２に係るコネクタ５０の斜視図を示している。横管状部１６に、スポイト５１を接続している。スポイト５１は蛇腹状のスポイトであり、蛇腹部５２は、横管状部１６の軸方向に伸縮可能である。
【００７２】
図１２は、図１１に示したコネクタ５０の縦断面図を示している。横管状部１６の外周面に、スポイト５１と一体の管状部５３の内周面を嵌合させて、スポイト５１を、コネクタ本体２に接続している。
【００７３】
スポイト５１の端面５１ａを矢印ａ方向に押圧すると、蛇腹部５２が圧縮され、スポイト５１内の空気は、横管状部１６の内部空間１６ａに押し出されることになる。内部空間１６ａ至った空気は、矢印ｅ方向に流動し、第１流路４３、疎水性フィルタ１４を経て、矢印ｆで示したように、バイアル瓶２０内に注入されることになる。
【００７４】
この際、バイアル瓶２０内の空気は、開口４４ａ、第２流路４４、立設管状部２５及び接続用管状部２１の内部空間２８を経て、矢印ｇで示したように、接続部４０に至り、薬液バック１０内に注入されることになる。スポイト５１の端面５１ａの押圧を解除すると、蛇腹部５２は復元する。この蛇腹部５２の復元により、バイアル瓶２０内の空気が蛇腹部５２内に流入する。
【００７５】
この場合、バイアル瓶２０内の圧力が低下し、バイアル瓶２０内に、薬液バック１０内の溶解液が、立設管状部２５及び接続用管状部２１の内部空間２８、第２流路４４、開口４４ａを経て、バイアル瓶２０内に注入されることになる。
【００７６】
すなわち、スポイト５１の端面５１ａの押圧と押圧の解除とを繰り返すことにより、スポイト５１の蛇腹部５２の伸縮を繰り返しながら、バイアル瓶２０内に薬液バック１０内の溶解液が注入し続けることになる。バイアル瓶２０内に溶解液が注入されると、バイアル瓶２０の粉末状の薬剤は、溶解液で溶解されることになる。
【００７７】
図１３は、バイアル瓶２０内で粉末状の薬剤を溶解して生成した薬液を、薬液バック１０内に注入する状態を示す断面図である。
【００７８】
図１３では、薬液バッグ１０の接続口４０とバイアル瓶２０との上下関係が、図５と逆になっている。すなわち、図１２では、バイアル瓶２０が下側にあるのに対して、図１３では、バイアル瓶２０は上側にある。
【００７９】
図１３において、スポイト５１の端面５１ａを矢印ａ方向に押圧すると、蛇腹部５２が圧縮され、スポイト５１内の空気は、横管状部１６の内部空間１６ａに押し出されることになる。内部空間１６ａ至った空気は、矢印ｅ方向に流動し、第１流路４３、疎水性フィルタ１４を経て、矢印ｆで示したように、バイアル瓶２０内に注入されることになる。この際、バイアル瓶２０内の薬液は、開口４４ａ、第２流路４４、立設管状部２５及び接続用管状部２１の内部空間２８を経て、矢印ｇで示したように、薬液バック１０に向かって流出することになる。
【００８０】
スポイト５１の端面５１ａの押圧を解除すると、蛇腹部５２は復元する。この場合、バイアル瓶２０内の薬液が、第１流路４３、横管状部１６の内部空間１６ａを経て、スポイト５１内に流入する可能性がある。このようなスポイト５１内への薬液の流入を防止するためには、本実施の形態では、第１流路４３に疎水性フィルタ１４を配置している。
【００８１】
疎水性フィルタ１４は、通気性があり空気は通過させるが、液体は通過させない。このため、スポイト５１の蛇腹部５２の復元の際に、バイアル瓶２０内の薬液がスポイト５１内に流入することを防止することができる。
【００８２】
なお、図１２、１３では第１流路４３に疎水性フィルタ１４を配置した例を図示したが、疎水性フィルタ１４は、第１流路４３の先端からシリンジ３０に至る空間に配置すればよく、横管状部１６の内部空間１６ａに設けてもよい。
【００８３】
蛇腹部５２の復元後、再びスポイト５１の端面５１ａを押圧し蛇腹部５２を圧縮すると、前記の通り、バイアル瓶２０内の薬液は、薬液バック１０内に注入されることになる。
【００８４】
すなわち、スポイト５１の端面５１ａの押圧と押圧の解除とを繰り返すことにより、スポイト５１の蛇腹部５２の伸縮を繰り返しながら、薬液バック１０内にバイアル瓶２０内の薬液が注入し続けることになる。
【００８５】
（実施の形態３）
図１４は、実施の形態２に係るコネクタ６０の斜視図を示している。図１５に、図１４に示したコネクタ６０の縦断面図を示している。実施の形態３は、実施の形態２の蛇腹型のスポイト５１を、卵型のスポイト６１に代えた実施の形態である。図１５において、横管状部１６の外周面に、スポイト６１と一体の管状部６２の内周面を嵌合させて、スポイト６１を、コネクタ本体２に接続している。これ以外の構成は、実施の形態２と同様である。
【００８６】
スポイト６１は、内部が空洞になっており、スポイト６１を掴んで押圧することにより、スポイト６１が圧縮し、空気をバイアル瓶に注入でき、押圧を解除すれば、スポイト６１の復元により、スポイト６１内に空気が吸引されることになる。
【００８７】
すなわち、スポイト６１の伸縮を繰り返すことにより、蛇腹型のスポイト５１を用いた実施の形態２と同じ作用により、バイアル瓶２０と薬液バック１０との間で液体の流通を図ることができる。
【００８８】
（実施の形態４）
実施の形態１−３では、第１接続部３は、接続口１１にレバー式ロック１２を一体にした例で説明したが、実施の形態４は、第１接続部を回転式ロック構造とした実施の形態である。
【００８９】
図１６は、実施の形態４に係るコネクタ７０の斜視図を示している。図１７に、図１６に示したコネクタ７０の縦断面図を示している。コネクタ７０の構成は、図３に示した実施の形態１のコネクタ１において、レバー式ロック１２を備えた第１接続部３を、回転式ロック構造の第１接続部７１に代えた構成に相当する。
【００９０】
実施の形態１のコネクタ１と、本実施の形態のコネクタ７０とでは、第１接続部７１を除けば、他の構成は形状の一部が異なる部分もあるが、同様の構成である。このため、第１接続部７１側（薬液バック１０側）と、第２接続部４側（バイアル瓶２０側）との間における液体の流通の動作原理も実施の形態１と同様である。
【００９１】
図１６、図１７の例は、横管状部１６にねじ１７を形成しており、実施の形態１における図５の構成と同様に、横管状部１６にはシリンジ３０を接続することができる。
【００９２】
図１８は、第１接続部７１を薬液バック１０側に接続する前の状態を示した部分拡大図である。第１接続部７１は、本体７２と拡径部７３とが一体になっており、拡径部７３にフランジ７４を立設させている。フランジ７４には、切り欠き部７４ａを形成している。フランジ７４には、さらに凹溝７５を形成している。凹溝７５は、フランジ７４の内周面から窪んだ溝である。この凹溝７５の窪みは、切り欠き部７４ａにより形成された窪みと一体になっている。
【００９３】
ポート部４８は、実施の形態１の図７におけるポート部４１に相当する。ポート部４８の外周面には凸部４９を形成している。凸部４９の外形は、第１接続部７１の凹溝７５に係合する形状にしている。
【００９４】
第１接続部７１をポート部４８に接続する際には、第１接続部７１をポート部４８に近づけ、切り欠き部７４ａの位置に、ポート部４８の凸部４９を対応させる。この状態で、第１接続部７１を軸回りに回転させると、凸部４９がフランジ７４の内周面側にある状態を維持しながら、凹溝７５に凸部４９が近づくことになる。第１接続部７１の軸回りの回転を続けると、凸部４９に凹溝７５が係合し、第１接続部７１が、ポート部４８に接続されることになる。
【００９５】
第１接続部７１の軸回りの回転を、前記の回転方向と逆方向にすれば、凸部４９と凹溝７５との係合を解除して、第１接続部７１をポート部４８から取り外すことが可能になる。
【００９６】
ここで、図１７において、立設管状部３３はシールド３４で覆われている。この構成は、形状は異っているが、図７において立設管状部２５がシールド２６で覆われている点と同様である。また、図８では図示していないが、ポート部４８の内部は、図７のスリット４５付きのセプタム４２と同様のセプタムを備えている。
【００９７】
このため、本実施の形態においても、図８の接続状態と同様に、第１接続部７１が、ポート部４８に接続された状態においては、シールド３４が圧縮され、立設管状部３３の先端部が、シールド３４のスリット３５からはみ出すとともに、立設管状部３３の先端部がポート部４８内のセプタムのスリットを割って、立設管状部３３の内部空間と、ポート部４８の内部空間とがつながることになる。
【００９８】
（実施の形態５）
図１９に実施の形態５に係るコネクタ８０の斜視図を示している。図１６、１７に示した実施の形態４は、横管状部１６にシリンジ３０を接続する例で説明したが、実施の形態５に係るコネクタ８０は、横管状部１６に、実施の形態２の蛇腹型のスポイト５１を接続したものである。この点を除けば、本実施の形態５に係るコネクタ８０の構成は、実施の形態４に係るコネクタ７０と同様の構成である。
【００９９】
本実施の形態に係るコネクタ８０によれば、実施の形態４と同様に、回転式ロック構造の第１接続部７１を用いて、薬液バック１０に設けたポート部との接続が可能になる。そして、スポイト５１の伸縮を繰り返すことにより、第１接続部７１側（薬液バック１０側）と、第２接続部４側（バイアル瓶２０側）との間で液体の流通を図ることができる。
【０１００】
（実施の形態６）
図２０に実施の形態６に係るコネクタ９０の斜視図を示している。図１６、１７に示した実施の形態４は、横管状部１６にシリンジ３０を接続する例で説明したが、実施の形態６に係るコネクタ９０は、横管状部１６に、実施の形態３の卵型のスポイト６１を接続したものである。この点を除けば、本実施の形態６に係るコネクタ９０の構成は、実施の形態４に係るコネクタ７０と同様の構成である。
【０１０１】
本実施の形態に係るコネクタ９０によれば、実施の形態４と同様に、回転式ロック構造の第１接続部７１を用いて、薬液バック１０に設けたポート部との接続が可能になる。そして、スポイト６１の伸縮を繰り返すことにより、第１接続部７１側（薬液バック１０側）と、第２接続部４側（バイアル瓶２０側）との間で液体の流通を図ることができる。
【０１０２】
なお、実施の形態２、３、５、６では、横管状部１６の外周面に、スポイト５１、６１と一体の管状部５３、６２の内周面を嵌合させて、スポイト５１、６１を、コネクタ本体２に接続しているが、この接続構造は他の接続構造としてもよい。例えば横管状部１６及び管状部５３、６２に形成したねじ同士を螺合させる構造であってもよい。また、スポイト５１、６１と、横管状部１６との接続部に接着剤を用いて、両者の固定を強固にしてもよい。
【０１０３】
また、前記の通り、前記各実施の形態に係るコネクタは、容器間に介在させて液体を流通させることが可能になる。このため、コネクタに接続する容器は、薬液バッグとバイアル瓶とに限るものではなく、各種容器を用いて容器間で液体を流通させることができる。
【産業上の利用可能性】
【０１０４】
以上のように、本発明に係るコネクタは、接続した容器が安易に取り外されることを防止し、容器の漏液防止を図ることができるので、例えば、バイアル瓶内の医薬品を薬液バッグへ注入する際に、薬液バッグとバイアル瓶との間に介在させる医療用のコネクタとして有用である。
【図面の簡単な説明】
【０１０５】
【図１】本発明の一実施の形態に係るコネクタ１の使用例を示した図。
【図２】図１を矢印Ａ方向から見た図。
【図３】本発明の実施の形態１に係るコネクタ１の分解斜視図。
【図４】図３のコネクタ１を、図３とは別の角度から見た分解斜視図。
【図５】本発明の実施の形態１に係るコネクタの断面図。
【図６】本発明の実施の形態１において、バイアル瓶２０内で粉末状の薬剤を溶解して生成した薬液を、薬液バック１０に注入する状態を示す断面図である。
【図７】本発明の実施の形態１に係る第１接続部３と薬液バッグ１０との接続前の状態を示す断面図。
【図８】本発明の実施の形態１に係る第１接続部３をポート部４１に接続した状態を示す断面図。
【図９】本発明の実施の形態１に係る第２接続部４とバイアル瓶２０との接続前の状態を示す断面図。
【図１０】本発明の実施の形態１に係る第２接続部４とバイアル瓶２０とを接続した状態を示す断面図。
【図１１】本発明の実施の形態２に係るコネクタ６０の斜視図。
【図１２】図１１に示したコネクタ６０の縦断面図。
【図１３】本発明の実施の形態２において、バイアル瓶２０内で粉末状の薬剤を溶解して生成した薬液を、薬液バック内に注入する状態を示す断面図。
【図１４】本発明の実施の形態３に係るコネクタ６０の斜視図。
【図１５】図１４に示したコネクタ６０の縦断面図。
【図１６】本発明の実施の形態４に係るコネクタ７０の斜視図。
【図１７】図１６に示したコネクタ７０の縦断面図。
【図１８】本発明の実施の形態４において、第１接続部７１を薬液バック１０側に接続する前の状態を示した部分拡大図。
【図１９】本発明の実施の形態５に係るコネクタ８０の斜視図。
【図２０】本発明の実施の形態６に係るコネクタ９０の斜視図。
【符号の説明】
【０１０６】
１  コネクタ
２  コネクタ本体
３  第１接続部
４  第２接続部
５  スリット
６  接続口（係合部）
１１  接続口
７  針状部
１０  薬液バック（第１の容器）
１２  レバー式ロック
１３  爪部
１４  疎水性フィルタ
１６  横管状部
２０  バイアル瓶（第２の容器）
２３  ゴム栓
２５  立設管状部
２６，３４  シールド
２９  口部
３０  シリンジ
３１  ピストン
３２  シリンダ
４６  突出部
４９  凸部
５１  スポイト（蛇腹型）
６１  スポイト（卵型）
７１  回転式ロック（第１接続部）
７５  凹溝
【図１】
2010124898.tif 000003
【図２】
2010124898.tif 000004
【図３】
2010124898.tif 000005
【図４】
2010124898.tif 000006
【図５】
2010124898.tif 000007
【図６】
2010124898.tif 000008
【図７】
2010124898.tif 000009
【図８】
2010124898.tif 000010
【図９】
2010124898.tif 000011
【図１０】
2010124898.tif 000012
【図１１】
2010124898.tif 000013
【図１２】
2010124898.tif 000014
【図１３】
2010124898.tif 000015
【図１４】
2010124898.tif 000016
【図１５】
2010124898.tif 000017
【図１６】
2010124898.tif 000018
【図１７】
2010124898.tif 000019
【図１８】
2010124898.tif 000020
【図１９】
2010124898.tif 000021
【図２０】
2010124898.tif 000022
【手続補正書】
【提出日】平成22年3月15日(2010.3.15)
【手続補正１】
【補正対象書類名】特許請求の範囲
【補正対象項目名】全文
【補正方法】変更
【補正の内容】
【特許請求の範囲】
【請求項１】
第１の容器と第２の容器とに接続し、前記第１の容器と前記第２の容器との間で液体を流通させるコネクタであって、
前記第１の容器と係合する第１の接続部と、前記第２の容器と係合する第２の接続部とを備えており、
前記第２の接続部は、前記第２の容器に係合する係合部と、前記第２の容器を刺通する針状部とが一体になっていることを特徴とするコネクタ。
【請求項２】
前記第１の接続部は、前記第１の容器との係合を解除する解除機構を備えており、前記第２の接続部は、前記第２の容器との係合を解除する解除機構を備えていない請求項１に記載のコネクタ。
【請求項３】
前記第２の接続部の前記係合部は、前記第２の容器の口部と係合する筒状の接続口であり、前記接続口は、前記接続口の内周面から突出した突出部を形成している請求項１又は２に記載のコネクタ。
【請求項４】
前記接続口は、前記接続口の側面を切り欠いたスリットを形成している請求項３に記載のコネクタ。
【請求項５】
前記第１の接続部は、前記第１の容器の一部と係合する爪部を備えたレバー式ロックが一体になっており、前記レバー式ロックは前記第１の容器との係合を解除する解除機構を兼ねており、前記レバー式ロックの湾曲により、前記レバー式ロックと前記第１の容器との係合が解除される請求項１から４のいずれかに記載のコネクタ。
【請求項６】
前記第１の接続部は、回転式ロックであり、前記回転式ロックは、前記第１の容器に形成した凸部に係合する凹溝を備えており、前記回転式ロックは前記第１の容器との係合を解除する解除機構を兼ねており、前記回転式ロックの軸回りの回転により、前記凸部と前記凹溝との係合が解除される請求項１から４のいずれかに記載のコネクタ。
【請求項７】
シリンダと可動式のピストンとを含むシリンジをさらに備えており、前記ピストンの可動による空気の送出及び吸引により、前記第１の容器と前記第２の容器との間で液体を流通させる請求項１から６のいずれかに記載のコネクタ。
【請求項８】
伸縮可能なスポイトをさらに備えており、前記スポイトの伸縮による空気の送出及び吸引により、前記第１の容器と前記第２の容器との間で液体を流通させる請求項１から６のいずれかに記載のコネクタ。
【請求項９】
疎水性フィルタをさらに備えており、前記空気の送出及び吸引は、前記疎水性フィルタを介して行われる請求項７又は８に記載のコネクタ。
【請求項１０】
前記第１の接続部に、伸縮により開閉可能なシールドで覆われた部分がある請求項１から９のいずれかに記載のコネクタ。
【手続補正２】
【補正対象書類名】明細書
【補正対象項目名】全文
【補正方法】変更
【補正の内容】
【発明の詳細な説明】
【技術分野】
【０００１】
本発明は、容器間に介在させて液体を流通させるコネクタに関し、例えば薬液バッグとバイアル瓶との間で、液体を流通させる医療用のコネクタに関する。
【背景技術】
【０００２】
抗がん剤等の薬剤は、保存の安定性のため、粉末の状態で保存し、使用する際に溶解することが行われている。この場合、薬剤入りのバイアル瓶に溶解液を注入し、溶解させた薬液を薬液バッグに注入することになる。そして、薬液バッグ内の薬液は、薬液バッグに取り付けたチューブを介して体内に投与されることになる。バイアル瓶内の薬液を薬液バッグに注入させるための用具が、例えば下記特許文献１、２に提案されている。
【０００３】
特許文献１には、両頭針の一端を薬剤入りの容器（バイアル瓶）の口部に穿刺し、両頭針の他端を希釈液入りの容器（薬液バッグ）の口部に穿刺した状態で、薬剤入りの容器内の溶解させた薬液を、希釈液入りの容器に注入することが提案されている。
【０００４】
特許文献２には、移注用具に形成した瓶針をガラス瓶（バイアル瓶）の口栓に刺通し、中空針を空袋（薬液バッグ）の口栓に刺通した状態で、ガラス瓶内の内容液を空袋に移注することが提案されている。
【特許文献１】特開２００２−２３８９７９号公報
【特許文献２】実開昭５６−９５２４７号公報
【発明の開示】
【発明が解決しようとする課題】
【０００５】
しかしながら、特許文献１、２に提案されている用具では、用具とバイアル瓶との接続は、用具と一体の針部をバイアル瓶の口部に穿刺しているに止まり、用具からバイアル瓶を取り外すことが容易であった。このため、特許文献１、２の用具では、用具からバイアル瓶が安易に取り外される可能性があった。用具からバイアル瓶が取り外されると、薬液バッグから薬液が漏液したり、バイアル瓶から薬液が漏液するおそれがあった。
【０００６】
本発明は、前記のような従来の問題を解決するものであり、接続した容器が安易に取り外されることを防止し、容器の漏液防止を図るコネクタを提供することを目的とする。
【課題を解決するための手段】
【０００７】
前記目的を達成するために、本発明のコネクタは、第１の容器と第２の容器とに接続し、前記第１の容器と前記第２の容器との間で液体を流通させるコネクタであって、前記第１の容器と係合する第１の接続部と、前記第２の容器と係合する第２の接続部とを備えており、前記第２の接続部は、前記第２の容器に係合する係合部と、前記第２の容器を刺通する針状部とが一体になっていることを特徴とする。
【発明の効果】
【０００８】
本発明のコネクタによれば、接続した容器が安易に取り外されることを防止し、容器の漏液防止を図ることができる。
【発明を実施するための最良の形態】
【０００９】
本発明によれば、コネクタに第１及び第２の容器を係合させた状態で、容器間の液体の流通作業ができるので、この流通作業の際における容器の外れを防止することができる。特に、第２の接続部は、係合部と針状部とが一体になっているので、第２の容器の安易な取り外しを防止できるとともに、第２の容器との接続が容易になる。
【００１０】
前記本発明のコネクタによれば、前記第１の接続部は、前記第１の容器との係合を解除する解除機構を備えており、前記第２の接続部は、前記第２の容器との係合を解除する解除機構を備えていないことが好ましい。この構成によれば、第１の接続部の第１の容器からの取り外しを容易にしつつ、第２の容器の安易な取り外しを防止することができる。このことにより、第２の容器の廃棄の際には、第２の容器をコネクタと一体に取り外すという作業手順の実行が容易になり、第２の容器を単体で取り外すことによる第２の容器の内容物の漏洩を防止することができる。
【００１１】
また、前記第２の接続部の前記係合部は、前記第２の容器の口部と係合する筒状の接続口であり、前記接続口は、前記接続口の内周面から突出した突出部を形成していることが好ましい。この構成によれば、第２の接続部と第２の容器との係合がより確実になり、第２の容器の外れ防止により有利になる。
【００１２】
また、前記接続口は、前記接続口の側面を切り欠いたスリットを形成していることが好ましい。第２の接続部と第２の容器との係合が容易になる。
【００１３】
また、前記第１の接続部は、前記第１の容器の一部と係合する爪部を備えたレバー式ロックが一体になっており、前記レバー式ロックは前記第１の容器との係合を解除する解除機構を兼ねており、前記レバー式ロックの湾曲により、前記レバー式ロックと前記第１の容器との係合が解除されることが好ましい。この構成によれば、レバー式ロックのレバー部の開閉により、第１の接続部の脱着が容易になる。
【００１４】
また、前記第１の接続部は、回転式ロックであり、前記回転式ロックは、前記第１の容器に形成した凸部に係合する凹溝を備えており、前記回転式ロックは前記第１の容器との係合を解除する解除機構を兼ねており、前記回転式ロックの軸回りの回転により、前記凸部と前記凹溝との係合が解除されることが好ましい。この構成によっても、第１の接続部の脱着が容易になる。また、第１の接続部と第１の容器との係合の解除は容易にはなるが、この解除には回転式ロックの回転動作が必要であるため、不用意な解除は防止することができる。
【００１５】
また、シリンダと可動式のピストンとを含むシリンジをさらに備えており、前記ピストンの可動による空気の送出及び吸引により、前記第１の容器と前記第２の容器との間で液体を流通させることが好ましい。この構成によれば、簡単な操作で空気の送出・吸引ができ、容器間の液体の流通作業が容易になるとともに、空気の送出量・吸引量の調節も容易になる。
【００１６】
また、伸縮可能なスポイトをさらに備えており、前記スポイトの伸縮による空気の送出及び吸引により、前記第１の容器と前記第２の容器との間で液体を流通させることが好ましい。この構成によれば、簡単な構造かつ簡単な操作で空気の送出・吸引ができ、容器間の液体の流通作業が容易になる。
【００１７】
また、疎水性フィルタをさらに備えており、前記空気の送出及び吸引は、前記疎水性フィルタを介して行われることが好ましい。この構成によれば、シリンダやスポイト内への液体の流入を防止することができる。
【００１８】
また、前記第１の接続部に、伸縮により開閉可能なシールドで覆われた部分があることが好ましい。この構成によれば、第１接続部を第１の容器から取り外した後においても、第１の接続部からの液体の漏洩を防止することができる。このため、第２の接続部と第２の容器との接続状態を維持した状態で、第２の容器を廃棄するようにすれば、第２の容器の液体の漏洩は防止されることになる。
【００１９】
以下、図面を参照しながら本発明の一実施の形態について説明する。
【００２０】
（実施の形態１）
図１は、本発明の一実施の形態に係るコネクタ１の使用例を示した図である。本図での例では、コネクタ１を介して第１の容器である薬液バッグ１０と第２の容器であるバイアル瓶２０とを接続している。
【００２１】
以下の説明において、薬液バッグ１０に取り付けた部品、例えば図５における接続口４０、ポート部４１は、説明の便宜上、薬液バッグ１０とは別個の符号を付しているが、これらは薬液バッグ１０の構成部品である。このため、図５では第１接続口３はポート部４１に係合しているが、これは第１接続口３は薬液バッグ１０に係合していることを意味している。
【００２２】
同様に、図５において、バイアル瓶２０に取り付けたゴム栓２３及びキャップ２４は、バイアル瓶２０の構成部品である。図５の図示では、第２接続口４は、キャップ２４に係合しているとも、バイアル瓶２０の口部２９に係合しているとも考えることができるが、バイアル瓶２０に係合していることには変りない。
【００２３】
薬液バッグ１０は、柔軟な樹脂製シートを袋状に形成したものである。薬液バッグ１０は、例えば、２枚の樹脂製シートを重ね合わせて、周縁部を熱溶着等により接合して形成することができる。バイアル瓶２０は、薬剤の入った容器であり、例えばガラス製の瓶の口部をゴム栓及びキャップで封止したものである。
【００２４】
図２は、図１を矢印Ａ方向から見た図である。コネクタ１には、シリンジ３０が取り付けられている。シリンジ３０は、円筒状のシリンダ３２と可動式のピストン３１とを備えている。ピストン３１を矢印ａ方向に押すことにより、シリンダ３２内の空気をシリンダ３２の先端から送出させることができる。他方、ピストン３１を矢印ｂ方向に引くことにより、シリンダ３２内に空気を吸引することができる。
【００２５】
図３は、コネクタ１の分解斜視図である。図３に示したように、コネクタ１は、コネクタ本体２と、第１接続部３とに分解することができる。コネクタ本体２は、第２接続部４と一体になっている。
【００２６】
第１接続部３は、円筒状の接続口１１とレバー式ロック１２とが一体になっている。第１接続部３は、コネクタ１を薬液バッグ１０（図１）に接続させるためのコネクタである。薬液バッグ１０との接続の際には、接続口１１内に、薬液バッグ１０に固定している円筒状のポート部４１（図７）を挿入する。
【００２７】
この際、レバー式ロック１２の下部が矢印ｃ方向に湾曲しながら、レバー式ロック１２の爪部１３が、ポート部４１の端面４１ａ（図７、８）に係合することになる。第１接続部３と薬液バッグ１０との接続の詳細については、後に図７、８を参照しながら説明する。
【００２８】
コネクタ本体２は、縦管状部１５に横管状部１６が交差している。横管状部１６にはシリンジ３０（図２）と螺合させるためにねじ１７を形成している。コネクタ１は、図２のような接続状態において、ピストン３１の可動により、薬液バッグ１０とバイアル瓶２０との間で液体を流通させるものである。この液体の流通については、後に図５、６を参照しながら説明する。
【００２９】
図４は、コネクタ１を、図３とは別の角度から見た分解斜視図である。図４では、第１接続部３及びコネクタ本体２の裏面側を図示している。第１接続部３の裏面側には、接続用管状部２１を形成している。この接続用管状部２１を、コネクタ本体２の縦管状部１５に嵌合させることにより、第１接続部３をコネクタ本体２に接続することができる。
【００３０】
第２接続部４は、筒状の接続口６と針状部７とが一体になったものである。第２接続部４は、コネクタ本体２をバイアル瓶２０に接続させるためのものである。接続口６は、バイアル瓶２０の口部２９（図５）と係合する係合部である。針状部７の先端は鋭利になっており、針状部７は、バイアル瓶２０のゴム栓２３（図５）に刺通することができる。
【００３１】
第２接続部４とバイアル瓶２０との接続の際には、針状部７をバイアル瓶２０のゴム栓２３（図５）に刺通しつつ、第２接続部４の接続口６内に、バイアル瓶２０の口部２９を係合させることになる。この接続の詳細については、後に図９、１０を参照しながら説明する。
【００３２】
図５は、コネクタ１の断面図を示している。本図は、図２におけるコネクタ１及びその周辺部分の縦方向の断面図に相当する。薬液バッグ１０に取り付けられた接続口４０の先端部に、ポート部４１が取り付けられている。ポート部４１は、第１接続部３の接続口１１に挿入されている。本図の断面状態では、図示されていないが、第１接続部３と一体のレバー式ロック１２の爪部１３（図３）を、ポート部４１の端面４１ａに係合させて、第１接続部３をポート部４１に接続している（図８）。前記の通り、この接続の詳細は、後に図７、８を用いて説明する。
【００３３】
第１接続部３は、接続口１１の中央部に、立設管状部２５を形成している。立設管状部２５の先端部は、ポート部４１に取り付けられたセプタム（隔壁）４２を押し上げている。セプタム４２は、軟質材にスリットを形成したものである。図５の状態では、立設管状部２５の先端部が、セプタム４２を押し上げることにより、セプタム４２のスリットを割って開いている。このことにより、接続口４０の内部空間と、立設管状部２５及び接続管状部２１の内部空間２８とがつながっている。
【００３４】
第１接続部３の接続用管状部２１は、コネクタ本体２の縦管状部１５に嵌合している。このことにより、コネクタ本体２に第１接続部３が接続されている。
【００３５】
コネクタ本体２には、第１流路４３及び第２流路４４を形成している。第１流路４３は、横管状部１６の内部空間１６ａと、コネクタ本体２の外部空間とをつなぐ流路である。第２流路４４は、立設管状部２５及び接続用管状部２１の内部空間２８と、コネクタ本体２の外部空間とをつなぐ流路である。
【００３６】
バイアル瓶２０の口部２９は、ゴム栓２３及びキャップ２４により封止している。ゴム栓２３は、バイアル瓶２０の開口に圧入している。キャップ２４は例えば金属製の薄板を加工したものであり、バイアル瓶２０の口部２９を覆っている。図５に示したように、第２接続部４によって、バイアル瓶２０とコネクタ本体２とを接続している。この接続の詳細は後に、図９、１０を参照しながら説明する。
【００３７】
以下、図５、６を参照しながら、薬液バッグ１０に、バイアル瓶２０内の薬剤を注入する際の操作手順を説明する。
【００３８】
図５において、シリンジ３０のピストン３１（図２）を矢印ｂ方向に引くことにより、バイアル瓶２０内の空気を横管状部１６の内部空間１６ａにまで吸引し、さらにシリンジ３０内にまで吸引することができる。このことにより、薬液バッグ１０内の溶解液が、立設管状部２５及び接続用管状部２１の内部空間２８、第２流路４４、開口４４ａを経て、バイアル瓶２０内に注入される。
【００３９】
バイアル瓶２０内に溶解液が注入されると、バイアル瓶２０内の粉末状の薬剤は、溶解液で溶解されることになる。バイアル瓶２０を振ることにより、この溶解を促進させることができる。
【００４０】
図６は、バイアル瓶２０内で粉末状の薬剤を溶解して生成した薬液を、薬液バッグ１０に注入する状態を示す断面図である。図示を見易くするために、図５における接続口４０、ポート部４１、シリンジ３０及びバイアル瓶２０は二点鎖線で簡略化して図示している。
【００４１】
図６では、薬液バッグ１０の接続口４０とバイアル瓶２０との上下関係が、図５と逆になっている。すなわち、図５では、バイアル瓶２０が下側にあるのに対して、図６では、バイアル瓶２０は上側にある。
【００４２】
図６の状態において、シリンジ３０のピストン３１（図２）を矢印ａ方向に押すと、シリンジ３０内の空気は、横管状部１６の内部空間１６ａに押し出されることになる。内部空間１６ａに至った空気は、矢印ｅ方向に流動し、第１流路４３を経て、矢印ｆで示したように、バイアル瓶２０内に注入されることになる。
【００４３】
このことにより、バイアル瓶２０内の薬液が、開口４４ａ、第２流路４４、立設管状部２５及び接続用管状部２１の内部空間２８を経て、矢印ｇで示したように、薬液バッグ１０内に向かって流出することになる。
【００４４】
薬液バッグ１０への注入量を増加させる場合には、一旦押したピストン３１（図２）を引き戻し、再度ピストン３１を矢印ａ方向に押せばよい。この場合、ピストン３１を引き戻す際に、バイアル瓶２０内の薬液をシリンジ３０内に吸引してしまう可能性がある。このようなシリンジ３０内への薬液の流入を防止するためには、図６に示したように、第１流路４３に疎水性フィルタ１４を配置すればよい。
【００４５】
疎水性フィルタ１４は、通気性があり空気は通過させるが、液体は通過させない。このため、ピストン３１を引き戻す際に、バイアル瓶２０内の薬液がシリンジ３０内に流入することを防止することができる。
【００４６】
なお、図６では第１流路４３に疎水性フィルタ１４を配置した例を図示したが、疎水性フィルタ１４は、第１流路４３の先端からシリンジ３０に至る空間に配置すればよく、横管状部１６の内部空間１６ａに設けてもよい。
【００４７】
前記のような工程を経て、バイアル瓶２０内の薬液を薬液バッグ１０内に注入することが可能になる。薬液バッグ１０内の薬液は、ポート部１９（図１）に刺通した針付きチューブのチューブを介して体内に投与されることになる。
【００４８】
本実施の形態においては、シリンジ３０（図２）とコネクタ本体２とを別部品とした例で説明したが、シリンジ３０のシリンダ部３２とコネクタ本体２とを一体にした構成でもよい。シリンダ部３２とコネクタ本体２とを一体にするには、シリンダ部３２を横管状部１６（図３）と一体に成形してもよく、シリンダ部３２を横管状部１６（図３）に接着剤で固定してもよい。この構成によれば、シリンジ３０の取り付け作業が不要になり、コネクタ１の操作前の組立作業が容易になる。また、誤ってシリンジ３０を取り外し、横管状部１６の他端が開放することを防止することができる。
【００４９】
次に、図７、８を参照しながら、第１接続部３と薬液バッグ１０との接続構造について説明する。図７は、第１接続部３と薬液バッグ１０とを接続する前の状態を示す断面図である。前記の通り、接続口４０は薬液バッグ１０に取り付けられている。接続口４０の先端部に、ポート部４１が取り付けられている。ポート部４１には、スリット４５を形成したセプタム（隔壁）４２が取り付けられている。図７に示した第１接続部３は、図３のＢＢ線における断面図に相当する。第１接続部３には、レバー式ロック１２が一体になっている。
【００５０】
図８は、第１接続部３をポート部４１に係合させて接続した状態を示す断面図である。ポート部４１が、接続口１１内に挿入されているとともに、レバー式ロック１２の爪部１３が、ポート部４１の端面４１ａに係合している。ポート部４１を接続口１１内に挿入する際には、図７において、レバー式ロック１２の下部が接続口１１の中心軸１１ａ側（矢印ｃ方向）に湾曲しながら、レバー式ロック１２の爪部１３は、接続口１１の中心軸１１ａから離れるように変位する（矢印ｈ方向）。ポート部４１の接続口１１内への挿入完了時点で、図８に示したように、爪部１３が、ポート部４１の端面４１ａに係合していることになる。
【００５１】
ここで、図７において、第１接続部３と一体の立設管状部２５は、伸縮により開閉可能なシールド２６で覆われている。シールド２６には、スリット２７を形成しており、シールド２６の収縮により、スリット２７の形成部分が開き（図８）、収縮したシールド２６の復元によりスリット２７の形成部分が閉じる（図７）ことになる。
【００５２】
図７の状態では、シールド２６は立設管状部２５を覆っているのに対して、図８の状態では、シールド２６は収縮し、立設管状部２５がシールド２６からはみ出している。これは、ポート部４１を接続口１１内に挿入する際に、ポート部４１の下部がシールド２６を押し下げるように、押圧するためである。
【００５３】
シールド２６からはみ出した立設管状部２５の先端部は、ポート部４１に取り付けられたセプタム４２を押し上げ、セプタム４２のスリット４５（図７）を割って開いている。このことにより、接続口４０の内部空間と、立設管状部２５及び接続管状部２１の内部空間２８とがつながることになる。
【００５４】
次に、必要量の薬液を薬液バッグ１０内に注入した後は、バイアル瓶２０と一体になった第１接続部３を、ポート部４１から取り外すことになる。この取り外しの際には、図８において、レバー式ロック１２の下部を接続口１１の中心軸１１ａ側（矢印ｃ方向）に押圧し、レバー式ロック１２の爪部１３を、接続口１１の中心軸１１ａから離れるように変位させればよい（矢印ｈ方向）。
【００５５】
第１接続部３を、ポート部４１から取り外した後は、図７の状態に戻ることになる。図７の状態では、収縮したシールド２６は復元し、再び立設管状部２５を覆っている。この状態では、バイアル瓶２０内の薬液の漏洩は防止されることになる。
【００５６】
なお、図７において、シールド２６で覆われた立設管状部２５の構造を、ポート部４１側に設けてもよい。この場合は、ポート部４１において、開口を伸縮により開閉可能なセプタム４２で覆った構造は、第１接続部３に設けることになる。この構成によれば、図７において、立設管状部２５とセプタム４２との上下関係が逆になるが、接続口４０の内部空間と、接続管状部２１の内部空間２８とがつながることには変わりない。
【００５７】
また、本実施の形態における第１接続部３は一例であり、各種接続方式を用いることができる。また、第１接続部３をコネクタ本体２と別部品で構成した例で説明したが、第１接続部３の構造によっては、第１接続部３とコネクタ本体２とを一体に成形した構成も考えられる。
【００５８】
次に、図９、１０を参照しながら、第２接続部４とバイアル瓶２０との接続構造について説明する。図９は、第２接続部４とバイアル瓶２０との接続前の状態を示す断面図である。バイアル瓶２０の口部２９は、ゴム栓２３を介して、キャップ２４により封止されている。
【００５９】
キャップの２４の中央部には開口２２を形成している。このことにより、開口２２の位置には、ゴム栓２３の一部が露出している。
【００６０】
第２接続部４には、接続口６の内周面から突出した突出部４６を形成している。バイアル瓶２０の口部２９には、拡径部４７を形成している。後に図１０を用いて説明するように、バイアル瓶２０の拡径部４７に、第２接続部４の突出部４６が係合することになる。
【００６１】
図１０は、第２接続部４とバイアル瓶２０とを接続した状態を示す断面図である。第２接続部４はバイアル瓶２０の口部２９に係合している。図３、９に示したように、接続口６の側面にはスリット５を形成しており、第２接続部４とバイアル瓶２０との係合を容易にしている。
【００６２】
図１０では、バイアル瓶２０のゴム栓２３に、コネクタ本体２と一体の針状部７が刺通している。バイアル瓶２０の拡径部４７には、第２接続部４の突出部４６が係合しており、第２接続部４のバイアル瓶２０からの外れを防止している。
【００６３】
また、第２接続部４は、第１接続部３とは異なり、レバー式ロック１２のような接続の解除を容易にする機構は備えていない。このため、第２接続部４とバイアル瓶２０との係合を強固にしておけば、第２接続部４はバイアル瓶２０から容易には外れないようにすることができる。このことにより、バイアル瓶２０の安易な取り外しによる薬液の漏洩を防止することができる。
【００６４】
また、第１接続部３を薬液バッグ１０から取り外した後は、図７に示したように、シールド２６が立設管状部２５を覆っている。したがって、第１接続部３を薬液バッグ１０から取り外した後においても、立設管状部２５からの薬液の漏洩は防止されることになる。
【００６５】
このため、第１接続部３を薬液バッグ１０から取り外し、第２接続部４とバイアル瓶２０との接続状態を維持した状態でバイアル瓶２０を廃棄するようにすれば、バイアル瓶２０内の薬剤の漏洩は防止されることになる。
【００６６】
前記のような薬剤の漏洩防止構造は、バイアル瓶２０内の薬剤が抗がん剤のような毒性の強い薬剤の場合には、特に有効になる。
【００６７】
なお、本実施の形態における第２接続部４は一例であり、各種接続方式を用いることができる。例えば、図１０では第２接続部４は、バイアル瓶２０の口部２９に係合する構成であるが、胴部に係合する構成としてもよい。
【００６８】
また、第２接続部４は、コネクタ本体２と一体に形成しているが、第２接続部４がコネクタ本体２から容易に外れない構造であれば、第２接続部４をコネクタ本体２と別部品で構成してもよい。
【００６９】
また、針状部７は、バイアル瓶２０の口部２９におけるゴム栓２３に刺通する構成の例で説明したが、この構成に限るものではなく、針状部７がバイアル瓶２０の一部を刺通する構成であればよい。例えば、バイアル瓶２０全体が軟質材で形成されており、針状部７がこの軟質材を刺通する構成であってもよい。
【００７０】
（実施の形態２）
実施の形態１では、バイアル瓶２０からの空気の吸引、及びバイアル瓶２０への空気の注入に、シリンジ３０を用いた例を説明したが、実施の形態２は、シリンジに代えてスポイトを用いた実施の形態である。本実施の形態は、シリンジをスポイトに代えている点を除けば、実施の形態１と同様の構成である。このため、実施の形態１と同一構成の部分の説明は省略する。
【００７１】
図１１は、実施の形態２に係るコネクタ５０の斜視図を示している。横管状部１６に、スポイト５１を接続している。スポイト５１は蛇腹状のスポイトであり、蛇腹部５２は、横管状部１６の軸方向に伸縮可能である。
【００７２】
図１２は、図１１に示したコネクタ５０の縦断面図を示している。横管状部１６の外周面に、スポイト５１と一体の管状部５３の内周面を嵌合させて、スポイト５１を、コネクタ本体２に接続している。
【００７３】
スポイト５１の端面５１ａを矢印ａ方向に押圧すると、蛇腹部５２が圧縮され、スポイト５１内の空気は、横管状部１６の内部空間１６ａに押し出されることになる。内部空間１６ａ至った空気は、矢印ｅ方向に流動し、第１流路４３、疎水性フィルタ１４を経て、矢印ｆで示したように、バイアル瓶２０内に注入されることになる。
【００７４】
この際、バイアル瓶２０内の空気は、開口４４ａ、第２流路４４、立設管状部２５及び接続用管状部２１の内部空間２８を経て、矢印ｇで示したように、接続部４０に至り、薬液バッグ１０内に注入されることになる。スポイト５１の端面５１ａの押圧を解除すると、蛇腹部５２は復元する。この蛇腹部５２の復元により、バイアル瓶２０内の空気が蛇腹部５２内に流入する。
【００７５】
この場合、バイアル瓶２０内の圧力が低下し、バイアル瓶２０内に、薬液バッグ１０内の溶解液が、立設管状部２５及び接続用管状部２１の内部空間２８、第２流路４４、開口４４ａを経て、バイアル瓶２０内に注入されることになる。
【００７６】
すなわち、スポイト５１の端面５１ａの押圧と押圧の解除とを繰り返すことにより、スポイト５１の蛇腹部５２の伸縮を繰り返しながら、バイアル瓶２０内に薬液バッグ１０内の溶解液が注入し続けることになる。バイアル瓶２０内に溶解液が注入されると、バイアル瓶２０の粉末状の薬剤は、溶解液で溶解されることになる。
【００７７】
図１３は、バイアル瓶２０内で粉末状の薬剤を溶解して生成した薬液を、薬液バッグ１０内に注入する状態を示す断面図である。
【００７８】
図１３では、薬液バッグ１０の接続口４０とバイアル瓶２０との上下関係が、図１２と逆になっている。すなわち、図１２では、バイアル瓶２０が下側にあるのに対して、図１３では、バイアル瓶２０は上側にある。
【００７９】
図１３において、スポイト５１の端面５１ａを矢印ａ方向に押圧すると、蛇腹部５２が圧縮され、スポイト５１内の空気は、横管状部１６の内部空間１６ａに押し出されることになる。内部空間１６ａ至った空気は、矢印ｅ方向に流動し、第１流路４３、疎水性フィルタ１４を経て、矢印ｆで示したように、バイアル瓶２０内に注入されることになる。この際、バイアル瓶２０内の薬液は、開口４４ａ、第２流路４４、立設管状部２５及び接続用管状部２１の内部空間２８を経て、矢印ｇで示したように、薬液バッグ１０に向かって流出することになる。
【００８０】
スポイト５１の端面５１ａの押圧を解除すると、蛇腹部５２は復元する。この場合、バイアル瓶２０内の薬液が、第１流路４３、横管状部１６の内部空間１６ａを経て、スポイト５１内に流入する可能性がある。このようなスポイト５１内への薬液の流入を防止するためには、本実施の形態では、第１流路４３に疎水性フィルタ１４を配置している。
【００８１】
疎水性フィルタ１４は、通気性があり空気は通過させるが、液体は通過させない。このため、スポイト５１の蛇腹部５２の復元の際に、バイアル瓶２０内の薬液がスポイト５１内に流入することを防止することができる。
【００８２】
なお、図１２、１３では第１流路４３に疎水性フィルタ１４を配置した例を図示したが、疎水性フィルタ１４は、第１流路４３の先端からスポイト５１に至る空間に配置すればよく、横管状部１６の内部空間１６ａに設けてもよい。
【００８３】
蛇腹部５２の復元後、再びスポイト５１の端面５１ａを押圧し蛇腹部５２を圧縮すると、前記の通り、バイアル瓶２０内の薬液は、薬液バッグ１０内に注入されることになる。
【００８４】
すなわち、スポイト５１の端面５１ａの押圧と押圧の解除とを繰り返すことにより、スポイト５１の蛇腹部５２の伸縮を繰り返しながら、薬液バッグ１０内にバイアル瓶２０内の薬液が注入し続けることになる。
【００８５】
（実施の形態３）
図１４は、実施の形態２に係るコネクタ６０の斜視図を示している。図１５に、図１４に示したコネクタ６０の縦断面図を示している。実施の形態３は、実施の形態２の蛇腹型のスポイト５１を、卵型のスポイト６１に代えた実施の形態である。図１５において、横管状部１６の外周面に、スポイト６１と一体の管状部６２の内周面を嵌合させて、スポイト６１を、コネクタ本体２に接続している。これ以外の構成は、実施の形態２と同様である。
【００８６】
スポイト６１は、内部が空洞になっており、スポイト６１を掴んで押圧することにより、スポイト６１が圧縮し、空気をバイアル瓶に注入でき、押圧を解除すれば、スポイト６１の復元により、スポイト６１内に空気が吸引されることになる。
【００８７】
すなわち、スポイト６１の伸縮を繰り返すことにより、蛇腹型のスポイト５１を用いた実施の形態２と同じ作用により、バイアル瓶２０と薬液バッグ１０との間で液体の流通を図ることができる。
【００８８】
（実施の形態４）
実施の形態１−３では、第１接続部３は、接続口１１にレバー式ロック１２を一体にした例で説明したが、実施の形態４は、第１接続部を回転式ロック構造とした実施の形態である。
【００８９】
図１６は、実施の形態４に係るコネクタ７０の斜視図を示している。図１７に、図１６に示したコネクタ７０の縦断面図を示している。コネクタ７０の構成は、図３に示した実施の形態１のコネクタ１において、レバー式ロック１２を備えた第１接続部３を、回転式ロック構造の第１接続部７１に代えた構成に相当する。
【００９０】
実施の形態１のコネクタ１と、本実施の形態のコネクタ７０とでは、第１接続部７１を除けば、他の構成は形状の一部が異なる部分もあるが、同様の構成である。このため、第１接続部７１側（薬液バッグ１０側）と、第２接続部４側（バイアル瓶２０側）との間における液体の流通の動作原理も実施の形態１と同様である。
【００９１】
図１６、図１７の例は、横管状部１６にねじ１７を形成しており、実施の形態１における図５の構成と同様に、横管状部１６にはシリンジ３０を接続することができる。
【００９２】
図１８は、第１接続部７１を薬液バッグ１０側に接続する前の状態を示した部分拡大図である。第１接続部７１は、本体７２と拡径部７３とが一体になっており、拡径部７３にフランジ７４を立設させている。フランジ７４には、切り欠き部７４ａを形成している。フランジ７４には、さらに凹溝７５を形成している。凹溝７５は、フランジ７４の内周面から窪んだ溝である。この凹溝７５の窪みは、切り欠き部７４ａにより形成された窪みと一体になっている。
【００９３】
ポート部４８は、実施の形態１の図７におけるポート部４１に相当する。ポート部４８の外周面には凸部４９を形成している。凸部４９の外形は、第１接続部７１の凹溝７５に係合する形状にしている。
【００９４】
第１接続部７１をポート部４８に接続する際には、第１接続部７１をポート部４８に近づけ、切り欠き部７４ａの位置に、ポート部４８の凸部４９を対応させる。この状態で、第１接続部７１を軸回りに回転させると、凸部４９がフランジ７４の内周面側にある状態を維持しながら、凹溝７５に凸部４９が近づくことになる。第１接続部７１の軸回りの回転を続けると、凸部４９に凹溝７５が係合し、第１接続部７１が、ポート部４８に接続されることになる。
【００９５】
第１接続部７１の軸回りの回転を、前記の回転方向と逆方向にすれば、凸部４９と凹溝７５との係合を解除して、第１接続部７１をポート部４８から取り外すことが可能になる。
【００９６】
ここで、図１７において、立設管状部３３はシールド３４で覆われている。この構成は、形状は異っているが、図７において立設管状部２５がシールド２６で覆われている点と同様である。また、図１８では図示していないが、ポート部４８の内部は、図７のスリット４５付きのセプタム４２と同様のセプタムを備えている。
【００９７】
このため、本実施の形態においても、図８の接続状態と同様に、第１接続部７１が、ポート部４８に接続された状態においては、シールド３４が圧縮され、立設管状部３３の先端部が、シールド３４のスリット３５からはみ出すとともに、立設管状部３３の先端部がポート部４８内のセプタムのスリットを割って、立設管状部３３の内部空間と、ポート部４８の内部空間とがつながることになる。
【００９８】
（実施の形態５）
図１９に実施の形態５に係るコネクタ８０の斜視図を示している。図１６、１７に示した実施の形態４は、横管状部１６にシリンジ３０を接続する例で説明したが、実施の形態５に係るコネクタ８０は、横管状部１６に、実施の形態２の蛇腹型のスポイト５１を接続したものである。この点を除けば、本実施の形態５に係るコネクタ８０の構成は、実施の形態４に係るコネクタ７０と同様の構成である。
【００９９】
本実施の形態に係るコネクタ８０によれば、実施の形態４と同様に、回転式ロック構造の第１接続部７１を用いて、薬液バッグ１０に設けたポート部との接続が可能になる。そして、スポイト５１の伸縮を繰り返すことにより、第１接続部７１側（薬液バッグ１０側）と、第２接続部４側（バイアル瓶２０側）との間で液体の流通を図ることができる。
【０１００】
（実施の形態６）
図２０に実施の形態６に係るコネクタ９０の斜視図を示している。図１６、１７に示した実施の形態４は、横管状部１６にシリンジ３０を接続する例で説明したが、実施の形態６に係るコネクタ９０は、横管状部１６に、実施の形態３の卵型のスポイト６１を接続したものである。この点を除けば、本実施の形態６に係るコネクタ９０の構成は、実施の形態４に係るコネクタ７０と同様の構成である。
【０１０１】
本実施の形態に係るコネクタ９０によれば、実施の形態４と同様に、回転式ロック構造の第１接続部７１を用いて、薬液バッグ１０に設けたポート部との接続が可能になる。そして、スポイト６１の伸縮を繰り返すことにより、第１接続部７１側（薬液バッグ１０側）と、第２接続部４側（バイアル瓶２０側）との間で液体の流通を図ることができる。
【０１０２】
なお、実施の形態２、３、５、６では、横管状部１６の外周面に、スポイト５１、６１と一体の管状部５３、６２の内周面を嵌合させて、スポイト５１、６１を、コネクタ本体２に接続しているが、この接続構造は他の接続構造としてもよい。例えば横管状部１６及び管状部５３、６２に形成したねじ同士を螺合させる構造であってもよい。また、スポイト５１、６１と、横管状部１６との接続部に接着剤を用いて、両者の固定を強固にしてもよい。
【０１０３】
また、前記の通り、前記各実施の形態に係るコネクタは、容器間に介在させて液体を流通させることが可能になる。このため、コネクタに接続する容器は、薬液バッグとバイアル瓶とに限るものではなく、各種容器を用いて容器間で液体を流通させることができる。
【産業上の利用可能性】
【０１０４】
以上のように、本発明に係るコネクタは、接続した容器が安易に取り外されることを防止し、容器の漏液防止を図ることができるので、例えば、バイアル瓶内の医薬品を薬液バッグへ注入する際に、薬液バッグとバイアル瓶との間に介在させる医療用のコネクタとして有用である。
【図面の簡単な説明】
【０１０５】
【図１】本発明の一実施の形態に係るコネクタ１の使用例を示した図。
【図２】図１を矢印Ａ方向から見た図。
【図３】本発明の実施の形態１に係るコネクタ１の分解斜視図。
【図４】図３のコネクタ１を、図３とは別の角度から見た分解斜視図。
【図５】本発明の実施の形態１に係るコネクタの断面図。
【図６】本発明の実施の形態１において、バイアル瓶２０内で粉末状の薬剤を溶解して生成した薬液を、薬液バッグ１０に注入する状態を示す断面図である。
【図７】本発明の実施の形態１に係る第１接続部３と薬液バッグ１０との接続前の状態を示す断面図。
【図８】本発明の実施の形態１に係る第１接続部３をポート部４１に接続した状態を示す断面図。
【図９】本発明の実施の形態１に係る第２接続部４とバイアル瓶２０との接続前の状態を示す断面図。
【図１０】本発明の実施の形態１に係る第２接続部４とバイアル瓶２０とを接続した状態を示す断面図。
【図１１】本発明の実施の形態２に係るコネクタ５０の斜視図。
【図１２】図１１に示したコネクタ５０の縦断面図。
【図１３】本発明の実施の形態２において、バイアル瓶２０内で粉末状の薬剤を溶解して生成した薬液を、薬液バッグ内に注入する状態を示す断面図。
【図１４】本発明の実施の形態３に係るコネクタ６０の斜視図。
【図１５】図１４に示したコネクタ６０の縦断面図。
【図１６】本発明の実施の形態４に係るコネクタ７０の斜視図。
【図１７】図１６に示したコネクタ７０の縦断面図。
【図１８】本発明の実施の形態４において、第１接続部７１を薬液バッグ１０側に接続する前の状態を示した部分拡大図。
【図１９】本発明の実施の形態５に係るコネクタ８０の斜視図。
【図２０】本発明の実施の形態６に係るコネクタ９０の斜視図。
【符号の説明】
【０１０６】
１  コネクタ
２  コネクタ本体
３  第１接続部
４  第２接続部
５  スリット
６  接続口（係合部）
１１  接続口
７  針状部
１０  薬液バッグ（第１の容器）
１２  レバー式ロック
１３  爪部
１４  疎水性フィルタ
１６  横管状部
２０  バイアル瓶（第２の容器）
２３  ゴム栓
２５  立設管状部
２６，３４  シールド
２９  口部
３０  シリンジ
３１  ピストン
３２  シリンダ
４６  突出部
４９  凸部
５１  スポイト（蛇腹型）
６１  スポイト（卵型）
７１  回転式ロック（第１接続部）
７５  凹溝